(57)【要約】【課題】餌を残さずに取り出しやすく、餌箱の搖れで中の餌汁が大きく搖れない餌箱を提供すること。【解決手段】餌箱は容器本体１と容器本体１の開口一辺の後側に取り付けられた釣り人の腰ベルトに係止されるワイヤ−からなる係止具２で取り付けられた蓋体３と容器本体１内に設けた水切り板４で構成され、容器本体１は、エチレン酢酸ビニル、ポリウレタン等の合成樹脂シ−ト（または板）等で、これらを熱プレスや真空成形金型による真空成形（バキュ−ム成形）で一体に箱型に成形し、防水性を有すると共に内部は底面１ａから側面１ｂにかけて形成された角部α、β、γ、δが接合部なく一連に湾曲状に形成され餌が取り出しやすい。底面１ａは傾斜面として容器本体１の側面１ｂの一方側１ｄ側を深く形成した汁溜まり空間Ａを設けている。【選択図】        図２
2004298035.tif 000002
【特許請求の範囲】
【請求項１】
底面と側面を有し、上方に開口を有する容器本体を合成樹脂シ−トにて一体成形し、底面にその一部を深く形成した汁溜を設けたことを特徴とする餌箱。
【請求項２】
前記汁溜は、底面を傾斜面として前記容器本体の一方側を深く形成して設けたことを特徴とする請求項１記載の餌箱。
【請求項３】
容器本体内に水切り板を設けたことを特徴とする請求項１または２記載の餌箱。
【請求項４】
容器本体は、合成樹脂シ−トを真空成形したことを特徴とする請求項１または２記載の餌箱。
【請求項５】
容器本体は、合成樹脂シ−トを熱プレスして形成したことを特徴とする請求項１または２記載の餌箱。
【発明の詳細な説明】
【０００１】
【発明の属する技術分野】
本発明は、餌を残さずに取り出しやすい餌箱の改良に関する。
【０００２】
【従来の技術】
【特許文献１】特開２０００−１１６２９７号公報
【０００３】
従来から軽く、体に当たっても痛くなく、ぶつけても割れにくいように柔軟性を有する材料で形成された容器本体から成る餌箱が使用されている。
柔軟性を有する材料で形成された容器は、体に当たっても痛くなく、割れにくいためこのような釣り用の餌箱が用いられている。
これらの容器本体の材料は、エチレン酢酸ビニルやポリウレタン等の薄い柔軟性を有する合成樹脂シ−トで、これを縫着、溶着等で接合して柔軟な外壁を有する容器体を形成する。
しかし、合成樹脂シ−トで、これを縫着、溶着等で接合して形成した餌箱は、接合部に餌が溜りやすく、餌が取りづらい。
また、シ−トを貼り合わすだけであるため単純な形状の物しかできなかった。
【特許文献１】には容器内部に網目状の水切りを設けて下側の底面上を汁溜まりとした餌箱が紹介されている。
しかし底全体が平らな汁溜まり空間であるため餌箱が移動すると中の汁も移動しやすく釣り人にかかってしまう虞がある。
【０００４】
【発明が解決しようとする課題】
解決しようとする課題は、
容器本体を合成樹脂シ−トを縫着、溶着等で接合して形成した餌箱は、餌が取り出しにくく、内部に餌が残りやすいこと。
また
【特許文献１】のように底が平らでは、餌箱が移動すると中の汁も移動しやすく釣り人にかかってしまう虞があること。
である。
【０００５】
本発明の目的は前記欠点に鑑み、餌を残さずに取り出しやすく、餌箱の搖れで中の餌汁が大きく搖れない餌箱を提供することである。
【０００６】
【課題を解決するための手段】
上記課題を解決するために、
請求項１に係わる本発明は、底面と側面を有し、上方に開口を有する容器本体を合成樹脂シ−トにて一体成形し、底面にその一部を深く形成した汁溜を設けたことを要旨とするものである。
請求項２に係わる本発明は、前記汁溜は、底面を傾斜面として前記容器本体の一方側を深く形成して設けたことを要旨とするものである。
請求項３に係わる本発明は、容器本体内に水切り板を設けたことを要旨とするものである。
請求項４に係わる本発明は、容器本体は、合成樹脂シ−トを真空成形したことを要旨とするものである。
請求項５に係わる本発明は、容器本体は、合成樹脂シ−トを熱プレスして形成したことを要旨とするものである。
【０００７】
本発明により、容器本体１の内部の餌が取り出しやすくなり、内部に餌が残らなくなる。
また、汁溜Ａ、Ｂ、Ｃ、Ｄにより汁が移動しにくく服に汁がかかることが防止される。
【０００８】
【発明の実施の形態】
以下、本発明の実施形態を図面に基づき説明すると、図１から図５は第１実施例で、図１は餌箱の容器本体の側面図、図２は容器本体の断面側面図と一部拡大断面側面図、図３は餌箱の斜視図、図４は真空成形で容器本体を成形する金型の断面側面図、図５は容器本体の平面図である。
【０００９】
餌箱は合成樹脂シ−ト材からなる容器本体１と容器本体１の開口一辺の後側に取り付けられた釣り人の腰ベルトに係止されるワイヤ−からなる係止具２とこの係止具２で取り付けられた蓋体３と容器本体１内に設けた水切り板４で構成されている。
餌箱の容器本体１はエチレン酢酸ビニル、ポリウレタン等の合成樹脂シ−トで形成され、防水性を有する材料から成り、容器本体１を通して外部からの水の侵入及び容器本体１内に溜った水が漏れないようになっている。
容器本体１は底面１ａと側面１ｂが一体に形成され、例えば底面１ａと側面１ｂの肉厚は０．５ｍｍ〜２ｍｍの板材で柔軟性（または可撓性）を有する材料からなり軽く持ち運びが容易である。
【００１０】
容器本体１は開口に沿って金属製フレ−ム５を有し、フレ−ム５は容器本体１の底面１ａや側面１ｂを形成する材料より剛性が大きく容器の形状を保持する。
側面１ｂは、容器本体１の開口にてフレ−ム５で外側に折り返して縁部を湾曲状とし、縁部は側面１ｂよりも外方へ膨出している。
そして、開口外側の折り返し片１ｃを側面１ｂに溶着又は縫着する。
餌箱の容器本体１は、エチレン酢酸ビニル、ポリウレタン等の合成樹脂シ−ト（または板）６等で、これらを熱プレスや図４の真空成形金型７による真空成形（バキュ−ム成形）で一体に箱型に成形し、防水性を有すると共に内部は底面１ａから側面１ｂにかけて形成された角部α、β、γ、δが接合部なく一連に湾曲状に形成され、角部に餌が溜まりにくくなり、餌が取り出しやすく、又、角部の餌を洗い流しやすい。
【００１１】
餌箱の容器本体１は、底面１ａとその周縁に沿って上方へ突出する側面１ｂを一体に形成し、その上方に開口を有している。
側面１ｂは開口に向けてやや外側に傾斜している。
したがって、側面１ｂに沿って、例えば餌をしごき出すことにより取り出しが容易になる。
側面１ｂの一方側１ｄの高さ方向の長さＨに対して一方側１ｄと対向する他方側１ｅの高さ方向の長さｈが短く形成されている。
従って、底面１ａは、全体を同一深さにするのでなく、傾斜面として容器本体１の側面１ｂの一方側１ｄ側を深く形成した汁溜まり空間Ａを設けている。
側面１ｂの高さ方向の長さＨ側の一方側１ｄ側の外側にベルト等への係止具２が設けられ、ワイヤ−からなる係止具２で形成されたヒンジ部２ａで容器本体１の開口付近に蓋体３が開口を開閉可能に取り付けられている。
【００１２】
ワイヤ−からなる係止具２は２箇所で側面１ｂと蓋体３の透孔を夫々貫通する略Ｏ字形ヒンジ部２ａと腰ベルトに係止される係止部２ｂとで全体が略Ｙ字形の２組とこの２組を連結する連結部２ｃで形成されている。
蓋体３はポリ塩化ビニ−ル、エチレン酢酸ビニ−ルやポリエチレン、ポリウレタン、ＡＢＳ樹脂等の合成樹脂で板状に形成されている。
【００１３】
また、餌箱は容器本体１内に水切り板４を設けることも出来る。
水切り板４は合成樹脂で形成した網で、板状の餌載せ板部４ａと餌載せ板部４ａの一側から下方に延びた脚部からなる支持部４ｂで形成され、水切り板４が容器本体１に落し込まれた時餌載せ板部４ａの面が地面または容器本体１の開口に略水平になるように支持部４ｂの長さが決められている。
図２のように、餌載せ板部４ａの面が略水平になれば良く、２点鎖線のように水平より幾分上方に傾斜したり、幾分下方に傾斜してもよい。
水切り板４は容器本体１に対して着脱が可能である。
容器本体１の底面１ａの上と水切り板４の餌載せ板部４ａの間が餌汁溜まり空間Ａとなり、その空間Ａは、底面１ａが低くなる側で大きく、対向する側で小さくなる。
したがって、空間Ａは係止具２側で大きく、他方側１ｅの容器本体１の前側で小さくなる。
【００１４】
この餌箱を使用する時は、係止具２の係止部２ｂを釣り人の腰ベルトに係止し、身体に取り付けて使用したり、釣り用バケツ等の容器に取り付けて使用することが出来る。
容器本体１の中の水切り板４の餌載せ板部４ａの上に冷凍庫から出された餌が載せられる。
冷凍した餌の解凍に伴ない生ずる餌から出る水分（汁）は水切り板４の餌載せ板部４ａの網目を通して底面の深く形成された側（汁溜）に水分（汁）が流れ出さずに溜まり釣り人の体にかからない。
又、水切り板４を設けない場合でもこの汁溜に水分が溜まり同様の作用効果を有する。
【００１５】
この餌箱を地面に置くと底面が地面と水平になり、その水分（汁）が平らに流れて底面内側を覆い、地面からの熱の伝達を防止する。
しかも、この実施形態でも容器本体１が一体で形成されるため、底面１ａと側面１ｂに間の角部α、β、γ、δに段差が生じたりせず滑らかな湾曲面で形成されるため、餌溜まりができず、餌をきれいに取り出し、又、洗い流すことが出来る。
【００１６】
前記のように餌箱が構成されると、容器本体１の内部の餌が取り出しやすくなり、内部に餌が残らなくなる。
また、汁溜により汁が移動しにくく服に汁がかかることが防止される。
【００１７】
図６から図８は第２実施例で、図６は餌箱の容器本体の側面図、図７は容器本体の断面側面図と一部拡大断面側面図、図８は容器本体の平面図である。
【００１８】
第２実施例では、容器本体１の底面１ｆを凹凸状に形成することでその内側側に一体に凹部ａ、ｂ、ｃでこの部分が深くなっている凹状の汁溜まり空間Ｂ、Ｃ、Ｄが形成される。
当然底面１ａの接地面側には上記凹部ａ、ｂ、ｃに対応する凸部ｄ、ｅ、ｆが形成される。
【００１９】
容器本体１は防水性を有する材料で形成され、汁溜まり空間Ｂ、Ｃ、Ｄ（凹部ａ、ｂ、ｃ）に溜まった水の行き来もなくなる。
このように複数の凹部で汁溜めを形成すると、汁が分割されて溜まるため、１度に流れ出すことがなく、より移動を阻止できて服にかからない。
しかも、底面１ｆと側面１ｂに間の角部α、β、γ、δに段差が生じたりせず滑らかな湾曲面で形成されるため、餌溜まりができず、餌をきれいに取り出し、又、きれいに洗い流すことが出来る。
容器本体１の底面１ｆ内側のこの凹部ａ、ｂ、ｃに対応する外側（接地面側）は、凹部ａ、ｂ、ｃの形状に沿って凸部ｄ、ｅ、ｆが形成されているので、この凸部ｄ、ｅ、ｆが接地して底面１ｆ全体が接地しないため地面の熱が容器本体１内に伝わりにくく餌の腐敗を防止する。
また、接地面側の凸部ｄ、ｅ、ｆは、その内側が餌の水分が溜まる汁溜まり空間Ｂ、Ｃ、Ｄであるためこのことも熱の伝達を少なくする。
他の構成は前記第１実施例と略同一である。
【００２０】
【発明の効果】
本発明は、以上説明したような形態で実施され、以下に記載されるような効果を奏する。
【００２１】
容器本体の内部の餌が取り出しやすくなり、内部に餌が残らなくなり、洗い流しやすくなる。
また、汁溜により汁が移動しにくく服に汁がかかることが防止される。
【図面の簡単な説明】
【図１】第１実施例で、餌箱の容器本体の側面図である。
【図２】同容器本体の断面側面図と一部拡大断面側面図である。
【図３】同餌箱の斜視図である。
【図４】同真空成形で容器本体を成形する金型の断面側面図である。
【図５】同容器本体の平面図である。
【図６】第２実施例で、餌箱の容器本体の側面図である。
【図７】同容器本体の断面側面図と一部拡大断面側面図である。
【図８】同容器本体の平面図である。
【符号の説明】
１  容器本体
１ａ、１ｆ  底面
１ｂ  側面
１ｄ  一方側
４  水切り板
Ａ、Ｂ、Ｃ、Ｄ  汁溜
【図１】
2004298035.tif 000003
【図２】
2004298035.tif 000004
【図３】
2004298035.tif 000005
【図４】
2004298035.tif 000006
【図５】
2004298035.tif 000007
【図６】
2004298035.tif 000008
【図７】
2004298035.tif 000009
【図８】
2004298035.tif 000010